(57)【要約】      （修正有）【課題】温泉水の温熱を利用して発電する温泉発電を利用して集客を図ることができる給電方法および給電装置を提供する。【解決手段】温泉水を用いた発電装置１と、発電装置１により生成された電気を充填する充電設備９と、充電設備９から電気１０を受けて電動乗り物、例えば電気自動車２に対して給電電気１７を供給する給電スタンド３とを備え、温泉水を利用できる権利者が、温泉水の温熱を利用して発電した電気を電動乗り物に提供する給電スタンド３を設け、給電スタンド３から電動乗り物に充電できる権利を、充電希望者が温泉施設の有料利用者の場合に無償で与える。【選択図】図１
2015050865.tif 000002
【特許請求の範囲】
【請求項１】
温泉水の温熱を利用して発電した電気を電動乗り物に提供する給電スタンドを設け、前記温泉水を利用できる権利者が、温泉施設の有料利用客に、前記給電スタンドから電動乗り物に充電できる権利を無償で与える、ことを特徴とする温泉発電を利用した給電方法。
【請求項２】
温泉水の温熱を利用して発電した電気を電動乗り物に提供する給電スタンドを設け、電気を有料販売できる有資格者が、前記温泉施設の有料利用客に、前記給電スタンドから電動乗り物に充電できる電気を販売する、ことを特徴とする温泉発電を利用した給電方法。
【請求項３】
発電に利用した後の温泉水を、温泉施設にて利用する、ことを特徴とする請求項１または２に記載の温泉発電を利用した給電方法。
【請求項４】
温泉水の温熱を利用して発電する際に、大地からの湧き水の冷熱を利用する、ことを特徴とする請求項１乃至３のいずれかに記載の温泉発電を利用した給電方法。
【請求項５】
発電に利用した後の湧き水を、前記温泉施設にて利用する、ことを特徴とする請求項４に記載の温泉発電を利用した給電方法。
【請求項６】
温泉水の温熱を利用して発電した電気を電動乗り物に提供する給電スタンドを設け、前記温泉水を利用できる権利者が、温泉施設の付近住民に、前記給電スタンドから電動乗り物に充電できる権利を無償で与える、ことを特徴とする給電方法。
【請求項７】
温泉水の温熱を利用して発電した電気を電動乗り物に提供する給電スタンドを設け、電気を有料販売できる有資格者が、前記温泉施設の付近住民に、前記給電スタンドから電動乗り物に充電できる電気を販売する、ことを特徴とする温泉発電を利用した給電方法。
【請求項８】
前記有料利用客または前記付近住民は前記温泉施設に滞在中に前記電動乗り物に充電することを特徴とする請求項１乃至７のいずれかに記載の温泉発電を利用した給電方法。
【請求項９】
前記給電スタンドは、電力事業者が提供する電気も供給できる、ことを特徴とする請求項１乃至８のいずれかに記載の温泉発電を利用した給電方法。
【請求項１０】
温泉水の温熱を使用するランキンサイクル熱機関を用いて発電する、ことを特徴とする請求項１乃至９のいずれかに記載の温泉発電を利用した給電方法。
【請求項１１】
温泉水の温熱を利用する熱電変換素子を用いて発電する、ことを特徴とした請求項１乃至９のいずれかに記載の温泉発電を利用した給電方法。
【請求項１２】
温泉水の温熱を利用して発電した電気を電動乗り物に提供する給電スタンドを用いて集客するための温泉発電を利用した給電装置において、
充電希望者が温泉施設の利用者の場合に、前記温泉水を利用できる権利者がこの充電希望者に給電スタンドから電動乗り物に充電できる権利を無償で与える手段を備えたことを特徴とする温泉発電を利用した給電装置。
【請求項１３】
温泉水の温熱を利用して発電した電気を電気乗り物に提供する給電スタンドを用いて集客するための温泉発電を利用した給電装置において、
充電希望者が温泉施設の利用者の場合に、電気を有料販売できる有資格者がこの充電希望者に給電スタンドから電動乗り物に充電する電気を販売する手段を備えたことを特徴とする温泉発電を利用した給電装置。
【請求項１４】
発電に利用した後の温泉水を、温泉施設にて利用する、ことを特徴とする請求項１２または１３に記載の温泉発電を利用した給電装置。
【請求項１５】
温泉水の温熱を利用して発電する際に、大地からの湧き水の冷熱を利用する、ことを特徴とする請求項１２乃至１４のいずれかに記載の温泉発電を利用した給電装置。
【請求項１６】
発電に利用した後の湧き水を、前記温泉施設にて利用する、ことを特徴とする請求項４に記載の温泉発電を利用した給電装置。
【請求項１７】
温泉水の温熱を利用して発電した電気を電動乗り物に提供する給電スタンドを用いて集客するための温泉発電を利用した給電装置において、
充電希望者が付近住民である場合に、前記温泉水を利用できる権利者がこの充電希望者に給電スタンドから電動乗り物に充電できる権利を無償で与える手段を備えたことを特徴とする温泉発電を利用した給電装置。
【請求項１８】
温泉水の温熱を利用して発電した電気を電動乗り物に提供する給電スタンドを用いて集客するための温泉発電を利用した給電装置において、
充電希望者が付近住民である場合に、電気を有料販売できる有資格者がこの充電希望者に給電スタンドから電動乗り物に充電する電気を販売する手段と、を備えたことを特徴とする温泉発電を利用した給電装置。
【請求項１９】
前記有料利用客は前記温泉施設に滞在中に前記電動乗り物に充電する、ことを特徴とする請求項１２乃至１８のいずれかに記載の温泉発電を利用した給電装置。
【請求項２０】
前記給電スタンドは、電力事業者が提供する電気も供給できる、ことを特徴とする請求項１２乃至１９のいずれかに記載の温泉発電を利用した給電装置。
【請求項２１】
温泉水の温熱を利用するランキンサイクル熱機関を用いて発電する、ことを特徴とする請求項１２乃至２０のいずれかに記載の温泉発電を利用した給電装置。
【請求項２２】
温泉水の温熱を利用する熱電変換素子を用いて発電する、ことを特徴とする請求項１２乃至２０のいずれかに記載の温泉発電を利用した給電装置。
【発明の詳細な説明】
【技術分野】
【０００１】
本発明の本実施の形態は、温泉水を用いて発電する温泉発電を利用した給電方法および給電装置に関する。
【背景技術】
【０００２】
温泉水を用いた発電装置には、例えばバイナリ発電装置や熱電発電装置があり、それぞれ温泉水を用いた運転実績例がある。どちらも温泉水からの温熱と、低温流体からの冷熱を利用する。例えば、大気を用いた冷却塔を循環する冷水など、如何なる低温流体を利用してもよい。
【０００３】
一般にバイナリ発電装置は、低沸点の作動媒体を蒸発させる蒸発器と、作動媒体蒸気に膨張仕事をさせて発電機を駆動するタービン等の膨張機と、作動媒体蒸気を凝縮させるための凝縮器と、作動媒体を加圧して蒸発器に再供給するための循環ポンプとを直列に接続した閉ループ内で作動媒体を循環させるランキンサイクル熱機関を含む。一例として特許文献１に示されるバイナリ発電装置がある。作動媒体を、蒸発器にて温泉水により加熱し蒸発させ、凝縮器にて低温流体により冷却し凝縮させる。
【０００４】
また、熱電発電装置は、熱電変換モジュールの両面に温度差をつける事で、熱電変換モジュールを構成する半導体素子群において熱電変換が起こり生じる電力を取り出す発電機であり、一例として特許文献２に示される熱電発電装置がある。熱電変換モジュールの片面を温泉水により流路壁を介して加熱し、もう片面を低温流体により流路壁を介して冷却する。
【０００５】
温泉井戸より高度の低い場所に温泉発電装置を設置しておけば、温泉水が高低差により搬送できるので、ポンプが不要になり消費電力もないという利点がある。低温流体として冷却塔の循環水を使用する場合は循環水ポンプが必要だが、温泉発電装置が発電した電力の一部を使用しているので、実質上の消費電力はない。なお、バイナリ発電装置には作動媒体を循環させるポンプが必要であり電気駆動であるが、これはバイナリ発電装置が発電した電力の一部を使用しているので、実質上の消費電力はない。
【０００６】
さて、温泉水４が豊富にある地域は温泉街である事が多い。図６に示すように、温泉街にて温泉発電装置１を用いて電気自動車２に充電する給電スタンド３を設ける考えがある。この考えを図６に示す技術として以下に説明する。
【０００７】
図６に示すように、温泉街に温泉発電装置１と、電気自動車２向けの給電スタンド３が設けられている。温泉発電装置１は温泉水４と低温流体１８を流入させ、電気１０を発電する。電気１０は充電設備９に充電され、ここから給電スタンド３に送られる。
【０００８】
なお、充電設備９または給電スタンド３では、電気１０を電気自動車２に与えるのに適切な性状に変化させる。電気自動車２は給電スタンド３にて給電電気１７を受けて充電される。温泉水４を有効利用するとしても入浴や足湯に用いられる際、受入れ時の温度から入浴等に適切な温度まで冷却して温度調節されるので、発電利用に相当する温熱は本来利用されていないエネルギであり、また実質上消費電力がなくランニングコストゼロである。このため、捨てられていたエネルギを用いて発電する効果がある。
【０００９】
また、ガソリンスタンドがない温泉街の場合、付近住民は電気自動車２を使用したいが、一般に普及している電気自動車２は、元々給電スタンドが設置されている都市部１９までの往復ができるほどの電気が充電できないため使用できない。温泉街に給電スタンド３があり、仮に温泉街の付近住民の電気自動車２が充電可能だとすると、温泉街の住民が電気自動車２を使用できる効果がある。電気自動車２は地球環境に優しいので、普及が進む事自体も効果である。
【００１０】
なお、この給電スタンド３から電気自動車２に給電する給電電気１７の全量が、温泉発電装置１で発電した電気である必要はない。
【００１１】
次に図７に示す技術を説明する。図７に示すように、電力事業者設備６と給電スタンド３を接続し、電力事業者からの電気２０を、給電スタンド３から電気自動車２に給電電気１７として給電できるようにする。即ち図７に示すように温泉発電装置１で発電した電気と、電力事業者からの電気２０の両方とも、給電スタンド３から電気自動車２に給電できる。この場合、温泉発電装置１で発電し充電設備９に充電されている電気が、電気自動車２への所望給電量より少ない状態でも、電力事業者からの電気２０も給電する事により所望の給電ができる。もちろん充電されている電気量が充分あっても、電気事業者からの電気２０のみを給電する事が可能であってもよい。なお、電力事業者とは例えば大手電力会社であり、給電スタンド３では、電力事業者からの電気２０を電気自動車２に与えるのに適切な性状に変化させる。また電力事業者と契約している者が、電力事業者に電気料金を支払う必要がある。
【先行技術文献】
【特許文献】
【００１２】
【特許文献１】特開２０１３−１５０３０公報
【特許文献２】特許第４９４５６４９号公報
【発明の概要】
【発明が解決しようとする課題】
【００１３】
ところで温泉街の人々は、温泉街に来訪したお客が有料で、温泉旅館の宿泊、温泉施設の利用、ゲームなど娯楽レジャー施設の利用、滞在中の飲食、みやげ物の購買をする事で、利益を上げて生計を立てている。近年、温泉街への来訪客が減少してきており、来訪客を増やして利益を増やしたいという課題がある。
【００１４】
本実施の形態は、このような点を考慮してなされたものであり、温泉水を用いて発電する温泉発電を利用して集客を図ることができる給電方法および給電装置を提供することを目的とする。
【課題を解決するための手段】
【００１５】
本実施の形態は、温泉水の温熱を利用して発電した電気を電動乗り物に提供する給電スタンドを設け、前記温泉水を利用できる権利者が温泉施設の有料利用客に、前記給電スタンドから電動乗り物に充電できる権利を無償で与える、ことを特徴とする温泉発電を利用した給電方法および給電装置である。
【図面の簡単な説明】
【００１６】
【図１】図１は第１、第２、第７、第１０、第１１の実施の形態による温泉発電を利用した給電装置を示す図。
【図２】図２は第３の実施の形態による温泉発電を利用した給電装置を示す図。
【図３】図３は第４、第５の実施の形態による温泉発電を利用した給電装置を示す図。
【図４】図４は第６、第８の実施の形態による温泉発電を利用した給電装置を示す図。
【図５】図５は第９の実施の形態による温泉発電を利用した給電装置を示す図。
【図６】一般の温泉発電を利用した技術を示す図。
【図７】他の温泉発電を利用した技術を示す図。
【図８】図８（ａ）（ｂ）は各々第１の実施の形態の作用を示すフローチャートおよび給電装置の構成図。
【図９】図９（ａ）（ｂ）は各々第６の実施の形態の作用を示すフローチャートおよび給電装置の構成図。
【図１０】図１０（ａ）（ｂ）は各々第７の実施の形態の作用を示すフローチャートおよび給電装置の構成図。
【図１１】図１１（ａ）（ｂ）は各々第８の実施の形態の作用を示すフローチャートおよび給電装置の構成図。
【発明を実施するための形態】
【００１７】
第１の実施の形態
次に図１および図８（ａ）（ｂ）により第１の実施の形態による温泉発電を利用した給電装置について述べる。
【００１８】
図１に示すように、温泉発電を利用したシステムは、温泉水を用いた発電装置１と、発電装置１により生成された電気を充填する充電設備９と、充電設備９から電気１０を受けて電動乗り物、例えば電気自動車２に対して給電電気１７を供給する給電スタンド３とを備えている。
【００１９】
このうち温泉水を用いた発電装置１は、例えばバイナリ発電装置または熱電発電装置を含み、それぞれ温泉水を用いた運転実績例がある。どちらも温泉水４からの温熱と、低温流体１８からの冷熱を利用する。例えば、大気を用いた冷却塔を循環する冷水など、如何なる低温流体を利用してもよい。また、電動乗り物として電気自動車２の例を示したが、これに限らず電動乗り物としては、電動バス、電動バイク、電動アシスト自転車等でもよい。
【００２０】
バイナリ発電装置は、低沸点の作動媒体を蒸発させる蒸発器と、作動媒体蒸気に膨張仕事をさせて発電機を駆動するタービン等の膨張機と、作動媒体蒸気を凝縮させるための凝縮器と、作動媒体を加圧して蒸発器に再供給するための循環ポンプとを直列に接続した閉ループ内で作動媒体を循環させるランキンサイクル熱機関を含む。作動媒体を、蒸発器にて温泉水４により加熱し蒸発させ、凝縮器にて低温流体により冷却し凝縮させる。
【００２１】
また、熱電発電装置は、熱電変換モジュールの両面に温度差をつける事で、熱電変換モジュールを構成する半導体素子群において熱電変換が起こり生じる電力を取り出す発電機である。熱電変換モジュールの片面を温泉水４により流路壁を介して加熱し、もう片面を低温流体１８により流路壁を介して冷却する。
【００２２】
図１において、温泉井戸より高度の低い場所に温泉発電装置１を設置しておけば、温泉水４が高低差により搬送できるので、ポンプが不要になり消費電力もないという利点がある。低温流体１８として冷却塔の循環水を使用する場合は循環水ポンプが必要だが、温泉発電装置１が発電した電力の一部を使用しているので、実質上の消費電力はない。なお、バイナリ発電装置には作動媒体を循環させるポンプが必要であり電気駆動であるが、これはバイナリ発電装置が発電した電力の一部を使用することができ、実質上の消費電力はない。
【００２３】
図１において、温泉発電装置１には温泉水４と低温流体１８が流入し、電気１０を発電する。電気１０は充電設備９に充電され、ここから給電スタンド３に送られる。なお、充電設備９または給電スタンド３では、電気１０を電気自動車２に与えるのに適切な性状に変化させる。電気自動車２は給電スタンド３にて給電電気１７を受けて充電できる。そもそも温泉水４を有効利用するとしても入浴や足湯に用いられる際、受入れ時の温度から入浴等に適切な温度まで冷却して温度調節されるので、発電利用に相当する温熱は本来利用されていないエネルギであり、また実質上消費電力がなくランニングコストゼロである。このため捨てられていたエネルギを用いて発電する効果がある。また電気自動車２は地球環境に優しいので、普及が進む事自体も効果である。
【００２４】
温泉街によっては、温泉街の人々により共同経営され入浴や足湯が利用できる共同の温泉設備があるが、利用は有料である。また、他の温泉施設として温泉旅館がある。温泉旅館の宿泊は有料であるだけでなく、宿泊客でなくても温泉旅館内にある施設を利用できる場合がありそれは有料である。ここで共同の温泉設備、温泉設備をもった温泉旅館、温泉設備はもたないが温泉街にある旅館を総称して温泉施設という。
【００２５】
本実施の形態において、温泉水４を利用できる権利者１１が直接的または間接的に、温泉施設の有料利用客１２に、給電スタンド３から電気自動車２に充電できる権利１３を無償で与える。温泉街は都市部１９から遠く、電気自動車２では充電量不足で往復できない事が多い。片道分の充電量があれば、電気自動車２で往復できるようになるので、温泉施設への、都市部１９からの来訪客が増える。これにより温泉施設にて有料利用客１２が支払う金銭による利益が増える。有料利用客１２は他にも飲食などに伴い温泉街にて金銭を支払う事があり、温泉街が経済的に潤う。発電利用に相当する温熱は本来利用されていないエネルギであり、また実質上の消費電力がなくランニングコストゼロなので、電気１０を有料利用客１２に無償提供しても損をすることはない。なお、温泉発電装置１は、バイナリ発電装置でも熱電発電装置でもそれ以外の如何なる方法の発電装置でもよい。
【００２６】
次に上記の温泉発電を利用した給電装置による具体的な給電方法について、図８（ａ）（ｂ）により説明する。ここで図８（ａ）は給電方法における管理手順部分を示すフローチャートであり、図８（ｂ）は給電装置における管理手順部分を示す構成図である。
【００２７】
まずコンピュータ（ＰＣ）に温泉発電を利用した集客プログラムが格納されている。
【００２８】
給電スタンド３の充電希望者（ＩＤ情報入力者）は、まず入力手段２１に自らのＩＤ情報を入力する。
【００２９】
この場合、記憶手段２２には温泉旅館等の温泉施設の有料利用客１２（温泉施設の利用者）のリストが予め記憶されている。
【００３０】
次に比較手段２３において、入力手段２１に入力されたＩＤ情報と、記憶手段２２の温泉施設の利用者とが比較される。次に比較手段２３における比較結果に基づいて、ＩＤ情報入力者が温泉施設の有料利用者１２の場合に、温泉水４を利用できる権利者１１はこのＩＤ情報入力者に対して給電スタンド３から電気自動車２に給電電気１７を充電できる権利を無償で与える。
【００３１】
この場合、給電スタンド３から電気自動車２に充電できる権利１３は、上述のように温泉水４を利用できる権利者１１から温泉施設の有料利用者１２に手段２４を介して無償で与えられる。
【００３２】
充電できる権利を無償で与える手段２４は、この権利１３をチケット、あるいはカードの形で出力手段２５から発行することもできる。ここでカードとしては、例えば磁気カードが挙げられる。給電スタンド３の利用者は当該チケットまたはカードを給電スタンド３に例えば挿入することにより、電気自動車２に充電することができる。
【００３３】
あるいは充電できる権利を無償で与える手段２４は、この権利１３を給電スタンド３へ電気的信号として送ることもできる。
【００３４】
上述した入力手段２１と、記憶手段２２と、比較手段２３と、充電できる権利を無償で与える手段２４と、出力手段２５とから給電装置における管理手順部分が構成される。
【００３５】
なお給電装置における管理手順部分は、上述した入力手段２１、記憶手段２２、比較手段２３を含むことなく、充電できる権利を無償で与える手段２４のみを含んでいても良い。例えば温泉施設の使用料を支払った温泉施設の有料利用者１２に使用量のレシートを発行する際、温泉水４を利用できる権利者１１から温泉施設の有料利用者１２に対して、手段２４を介して、この充電できる権利１３をチケット、あるいはカードの形で出力手段２５から発行してもよい。
【００３６】
第２の実施の形態
次に図１により第２の実施の形態について説明する。
【００３７】
本実施の形態において、第１の実施の形態と同一部位には同一符号を付けて詳細な説明は省略する。
【００３８】
図１に示すように、温泉水４が得られる地域では湧き水５も得られる事が多く、低温流体１８として大地からの湧き水５を使用する。湧き水５を用いる場合、水道水と異なり費用負担がなく、さらに、湧き場所より高度の低い場所に温泉発電装置１を設置しておけば、高低差により搬送できるので、ポンプが不要になり消費電力もないという利点がある。
【００３９】
第３の実施の形態
次に図２により第３の実施の形態について説明する。
【００４０】
本実施の形態において、第１の実施の形態および第２の実施の形態と同一部位には同一符号を付けて詳細な説明は省略する。
【００４１】
図２に示すように、温泉発電装置１に流入した温泉水４は利用される際に温度低下してから排出される。
【００４２】
この場合、温度低下は充分に小さいので、まだ充分高い温度であり入浴向け湯として利用できる。このため、温泉発電装置１から排出された温泉水４を、温泉施設または温泉旅館の浴場７や足湯などに流入させ利用する。この際、道路の融雪など温水が利用できる箇所ならば何に利用してもよく、従来から知られている温泉水の用途に活用する効果がある。
【００４３】
また利用先より高度の高い場所に温泉発電装置１を設置しておけば、高低差により温泉水４を搬送できるので、ポンプが不要になり消費電力もない。仮にポンプが必要でも温泉発電装置１が発電した電力の一部を使用するので、実質上の消費電力はない。このようにランニングコストをゼロとすることができ、温泉発電に使った温泉水４は浴場７等で有効利用できるので、電気１０を有料利用客１２に無償提供しても損することはない。
【００４４】
第４の実施の形態
次に第４の実施の形態について図３を用いて説明する。
【００４５】
第４の実施の形態において、同一部位には同一符号を付けて詳細な説明は省略する。
【００４６】
温泉発電装置１に流入した湧き水５は利用される際に温度上昇してから排出されるが、温度上昇は充分に小さいので、充分高温にはなっておらず従来の湧き水としての用途、例えば温泉水４の浴場７に用いられる温度調節用の水や水洗トイレの洗浄水に利用できる。
【００４７】
そこで図３に示すように、排出された湧き水５を水溜め８に流入させ、そこから温泉施設または温泉旅館６の浴場７や足湯や水洗トイレなどに適量流入させ利用することができ、従来から知られている湧き水の用途に活用する効果がある。
【００４８】
また利用先より高度の高い場所に温泉発電装置１を設置しておけば、高低差により湧き水５を搬送できるので、ポンプが不要になり消費電力もない。仮にポンプが必要でも温泉発電装置１が発電した電力の一部を使用するので、実質上の消費電力はない。このようにランニングコストをゼロとすることができ、温泉発電に使った湧き水５は浴場７等で有効利用できるので、給電電気１７を有料利用客１２に無償提供しても損することはない。
【００４９】
第５の実施の形態
次に第５の実施の形態について、図３を用いて説明する。
【００５０】
第５の実施の形態において、図１乃至図３および図８に示す第１〜第４の実施の形態と同一部位には同一符号を付けて詳細な説明は省略する。
【００５１】
図３において、温泉施設から徒歩圏内に、給電スタンド３が設置されている。給電スタンド３から電気自動車２に無料で充電できる権利１１を与えられている有料利用客１２は、温泉施設に滞在中に充電する。電気自動車２の充電は、充電時間が長く不快であるという問題点があるが、有料利用客１２が温泉施設に滞在中で例えば浴場７を利用している間に充電されるので、充電時間が長いという不快感がない。なお給電スタンド３から温泉施設まで、電気自動車２の運転者は徒歩で移動する。
【００５２】
第６の実施の形態
次に第６の実施の形態について図４および図９を用いて説明する。
【００５３】
第６の実施の形態において、第１〜第５の実施の形態と同一部位には同一符号を付けて詳細な説明は省略する。
【００５４】
図４に示すように、少なくとも日本の法律では電気を販売する事は有資格者１４でなければならない。従って法律的に電気を販売できる有資格者１４であれば有料販売できる。そこで電気を有料販売できる有資格者１４が、温泉施設の有料利用客１２に、給電スタンド３から電気自動車２に充電できる電気を販売する。電気の価格は、都市部１９の給電スタンドにおける販売価格より高くても同じでも低くてもよい。温泉街は都市部１９から遠く、電気自動車２では充電量不足で往復できない事が多い。片道分の充電量があれば、電気自動車２で往復できるようになるので、温泉施設への、都市部１９からの来訪客が増える。
【００５５】
これにより温泉施設にて有料利用客１２が支払う金銭による利益が増える。有料利用客１２は他にも飲食などに伴い温泉街にて金銭を支払う事があり、温泉街が経済的に潤う。発電利用に相当する温熱は本来利用されていないエネルギであり、また実質上の消費電力がなく、ランニングコストはゼロなので、給電電気１７の対価として支払われた金銭１５はそのまま、有資格者１４の利益になる。なお、温泉発電装置１は、バイナリ発電装置でも熱電発電装置でもそれ以外の如何なる方法の発電装置でもよい。
【００５６】
次に上記の温泉発電を利用した具体的な集客方法について、図９（ａ）（ｂ）により説明する。ここで図９（ａ）は給電方法における管理手順部分を示すフローチャートであり、図９（ｂ）は給電装置における管理手順部分を示す構成図である。
【００５７】
まずコンピュータ（ＰＣ）に温泉発電を利用した集客プログラムが格納されている。
【００５８】
給電スタンド３の充電希望者（ＩＤ情報入力者）は、まず入力手段２１に自らのＩＤ情報を入力する。
【００５９】
この場合、記憶手段２２には温泉旅館等の温泉施設の有料利用客１２（温泉施設の利用者）のリストが予め記憶されている。
【００６０】
次に比較手段２３において、入力手段２１に入力されたＩＤ情報と、記憶手段２２の温泉施設の利用者とが比較される。次に比較手段２３における比較結果に基づいて、ＩＤ情報入力者が温泉施設の有料利用者の場合に、電気を有料販売できる有資格者１４がこのＩＤ情報入力者に対して給電スタンド３から電気自動車２に給電電気１７を充電する電気を販売する。
【００６１】
この場合、給電スタンド３から電気自動車２に充電する電気は、上述のように電気を有料販売できる有資格者１４から温泉施設の有料利用者１２に金銭１５と引き替えに販売される。
【００６２】
この際、充電する電気を販売する手段２４ａは、出力手段２５を介して電気購入する権利をチケット又はカードを発行する。ここでカードとしては、例えば磁気カードが挙げられる。給電スタンド３の充電希望者は当該チケットまたはカードを見せたり、給電スタンド３に挿入することにより金銭１５と引き替えに電気自動車２に電気を充電することができる。
【００６３】
上述した入力手段２１と、記憶手段２２と、比較手段２３と、充電する電気を販売する手段２４ａと、出力手段２５とから給電装置の管理手順部分が構成される。
【００６４】
なお給電装置の管理手順部分は、上述した入力手段２１、記憶手段２２、比較手段２３を含むことなく、充電する電気を販売する手段２４ａのみを含んでいても良い。例えば温泉施設の使用料を支払った温泉施設の有料利用者１２に使用量のレシートを発行する際、電気を有料販売できる有資格者１４から温泉施設の有料利用者１２に対して、手段２４ａを介して、電気を購入する権利をチケット、あるいはカードの形で出力手段２５から発行してもよい。
【００６５】
第７の実施の形態
次に第７の実施の形態について、図１および図１０により説明する。
【００６６】
第７の実施の形態において、第１〜第６の実施の形態と同一部位には同一符号を付けて詳細な説明は省略する。
【００６７】
図１に示すように、温泉水４を利用できる権利者１１が直接的または間接的に、温泉施設の付近住民１６に、給電スタンド３から電気自動車２に充電できる権利１３を無償で与える。
【００６８】
ガソリンスタンドがない温泉街の場合、そこの住民は電気自動車２を使用したいが、一般に普及している電気自動車２は、元々給電スタンドが設置されている都市部１９までの往復ができるほど充電できないため使用できない。これに対して本実施の形態によれば、付近住民１６が電気自動車２を使用できる効果がある。付近住民１６は電気自動車２向けの電気の費用負担がなくなり、温泉街全体が経済的に潤う。電気自動車２は地球環境に優しいので、普及が進む事自体も効果である。
【００６９】
次に上記の温泉発電を利用した給電装置による具体的な給電方法における管理手順部分について、図１０（ａ）（ｂ）により説明する。ここで図１０（ａ）は給電方法における管理手順部分を示すフローチャートであり、図１０（ｂ）は給電装置における管理手順部分を示す構成図である。
【００７０】
まずコンピュータ（ＰＣ）に温泉発電を利用した集客プログラムが格納されている。
【００７１】
給電スタンド３の充電希望者（ＩＤ情報入力者）は、まず入力手段２１に自らのＩＤ情報を入力する。
【００７２】
この場合、記憶手段２２には温泉旅館等の温泉施設の付近住民１６のリストが予め記憶されている。
【００７３】
次に比較手段２３において、入力手段２１に入力されたＩＤ情報と、記憶手段２２の温泉施設の付近住民１６とが比較される。次に比較手段２３における比較結果に基づいて、ＩＤ情報入力者が温泉施設の付近住民１６の場合に、温泉水４を利用できる権利者１１はこのＩＤ情報入力者に対して給電スタンド３から電気自動車２に給電電気１７を充電できる権利を無償で与える。
【００７４】
この場合、給電スタンド３から電気自動車２に充電できる権利１３は、上述のように温泉水４を利用できる権利者１１から温泉施設の付近住民１６に手段２４を介して無償で与えられる。
【００７５】
充電できる権利を無償で与える手段２４は、この権利１３をチケットあるいはカードの形で出力手段２５から発行することもできる。ここでカードとしては、例えば磁気カードが挙げられる。給電スタンド３の利用者は当該チケットまたはカードを給電スタンド３に例えば挿入することにより、電気自動車２に充電することができる。
【００７６】
あるいは充電できる権利を無償で与える手段２４は、この権利１３を給電スタンド３へ電気的信号として送ることもできる。
【００７７】
上述した入力手段２１と、記憶手段２２と、比較手段２３と、充電できる権利を無償で与える手段２４と、出力手段２５とから給電装置における管理手順部分が構成される。
【００７８】
なお給電装置における管理手順部分は、上述した入力手段２１、記憶手段２２、比較手段２３を含むことなく、充電できる権利を無償で与える手段２４のみを含んでいても良い。
【００７９】
例えば温泉水４を利用できる権利者１１から付近住民１６に対して、一律に手段２４を介して、この充電できる権利１３をチケット、あるいはカードの形で出力手段２５から発行してもよい。
【００８０】
第８の実施の形態
次に第８の実施の形態について、図４および図１１により説明する。
【００８１】
第８の実施の形態において、第１〜第７の実施の形態と同一部位には同一符号を付けて詳細な説明は省略する。
【００８２】
図４に示すように、電気を有料販売できる有資格者１４が、温泉施設または温泉旅館の付近住民１６に、給電スタンド３から電気自動車２に充電できる電気を販売する。
【００８３】
電気の価格は、有料利用客１２への販売価格より高くても同じでも低くてもよいし、都市部１９の給電スタンドにおける販売価格より高くても同じでも低くてもよい。ガソリンスタンドがない温泉街の場合、そこの住民は電気自動車２を使用したいが、一般に普及している電気自動車２は、元々給電スタンドが設置されている都市部１９までの往復ができるほど充電できないため使用できなかった。それに対して付近住民１６が電気自動車２を使用できる効果がある。電気自動車２は地球環境に優しいので、普及が進む事自体も効果である。また、電気１０の対価として支払われた金銭１５はそのまま、有資格者１４の利益になる。
【００８４】
次に上記の温泉発電を利用した給電装置による具体的な給電方法における管理手順部分について、図１１（ａ）（ｂ）により説明する。ここで図１１（ａ）は給電方法を示すフローチャートであり、図１１（ｂ）は給電装置における管理手順部分を示す構成図である。
【００８５】
まずコンピュータ（ＰＣ）に温泉発電を利用した集客プログラムが格納されている。
【００８６】
給電スタンド３の充電希望者（ＩＤ情報入力者）は、まず入力手段２１に自らのＩＤ情報を入力する。
【００８７】
この場合、記憶手段２２には温泉旅館等の温泉施設の付近住民１６のリストが予め記憶されている。
【００８８】
次に比較手段２３において、入力手段２１に入力されたＩＤ情報と、記憶手段２２の温泉施設の付近住民１６とが比較される。次に比較手段２３における比較結果に基づいて、ＩＤ情報入力者が温泉施設の付近住民１６の場合に、電気を有料販売できる有資格者１４がこのＩＤ情報入力者に対して給電スタンド３から電気自動車２に給電電気１７を充電する電気を販売する。
【００８９】
この場合、給電スタンド３から電気自動車２に充電する電気は、上述のように電気を有料販売できる有資格者１４から温泉施設の付近住民１６に金銭１５と引き替えに販売される。
【００９０】
この際、充電する電気を販売する手段２４ａは、出力手段２５を介して電気を購入する権利をチケット又はカードを発行する。ここでカードとしては、例えば、磁気カードが挙げられる。給電スタンド３の充電希望者は当該チケット又はカードを見せたり、給電スタンド３に挿入することにより金銭１５と引き替えに電気自動車２に電気を充電することができる。
【００９１】
なお、上述した入力手段２１と、記憶手段２２と、比較手段２３と、充電する電気を販売する手段２４ａと、出力手段２５とから給電装置における管理手順部分が構成される。
【００９２】
なお給電装置における管理手順部分は、上述した入力手段２１、記憶手段２２、比較手段２３を含むことなく、充電する電気を販売する手段２４ａのみを含んでいても良い。
【００９３】
例えば電気を有料販売できる有資格者１４から付近住民１６に対して一律に、手段２４ａを介して、電気を購入する権利をチケット、あるいはカードの形で出力手段２５から発行してもよい。
【００９４】
第９の実施の形態
次に第９の実施の形態について、図５により説明する。
【００９５】
第９の実施の形態において、第１〜第８の実施の形態と同一部位には同一符号を付けて詳細な説明は省略する。
【００９６】
図５に示すように、給電スタンド３から電気自動車２に給電する電気の全量が、温泉発電装置１で発電した電気である必要はない。電力事業者設備６と給電スタンド３とを接続し、電力事業者からの電気２０を、給電スタンド３から電気自動車２に給電電気１７として給電できるようにする。このことにより、温泉発電装置１で発電した電気と、電力事業者からの電気２０の両方を電気自動車２に給電できる。
【００９７】
この場合、温泉発電装置１で発電し充電設備９に充電されている電気が、電気自動車２への所望給電量より少ない状態でも、電力事業者からの電気２０も給電する事により所望の給電ができる。もちろん充電されている電気量が充分あっても、電気事業者からの電気２０のみを給電する事が可能であってもよい。
【００９８】
なお、電力事業者とは例えば大手電力会社であり、給電スタンド３では、電力事業者からの電気２０を電気自動車２に与えるのに適切な性状に変化させる。また電力事業者と契約している者は、電力事業者に電気料金を支払う必要がある。
【００９９】
充電設備９に充電されている電気が少ない時、充電設備９以外から充電できないのであれば、充電不足の状態となった電気自動車２では都市部１９へ帰還できなくなるのに対し、本実施の形態によれば、電気自動車２に温泉／発電装置１からの電気を十分に充電することができる。
【０１００】
第１０の実施の形態
次に第１０の実施の形態を図１を用いて説明する。
【０１０１】
第１０の実施の形態において、第１〜第９の実施の形態と同一部位には同一符号を付けて詳細な説明は省略する。
【０１０２】
温泉発電装置１は、熱電発電装置と比較し高効率で安価であるバイナリ発電装置のようなランキンサイクル熱機関を使用した発電装置となっている。
【０１０３】
第１１の実施の形態
次に第１１の実施の形態を図１を用いて説明する。
【０１０４】
第１１の実施の形態において、第１〜第１０の実施の形態と同一部位には同一符号を付けて詳細な説明は省略する。
【０１０５】
温泉発電装置１は、熱電変換素子を使用した熱電発電装置とする。温泉施設や温泉旅館は客商売であるため、振動や騒音が大きいとお客が減る可能性があるが、熱電発電装置は振動や騒音がないため、その心配がない。また可燃物かつ環境への有害物質である潤滑油を使用しないため、その漏洩による被害の心配がない。
【０１０６】
なお、上記各実施の形態は例示であり、発明の範囲はそれらに限定されることはない。
【符号の説明】
【０１０７】
１  温泉発電装置、２  電気自動車、３  給電スタンド、４  温泉水、５  湧き水、６  電力事業者設備、７  浴場、８  水溜め、９  充電設備、１０  電気、１１  権利者、１２  有料利用客、１３  充電できる権利、１４  有資格者、１５  金銭、１６  付近住民、１７  給電電気、１８  低温流体、１９  都市部、２０  電力事業者からの電気、２１  入力手段、２２  記憶手段、２３  比較手段、２４  充電できる権利を無償で与える手段、２４ａ  充電する電気を販売する手段、２５  出力手段
【図１】
2015050865.tif 000003
【図２】
2015050865.tif 000004
【図３】
2015050865.tif 000005
【図４】
2015050865.tif 000006
【図５】
2015050865.tif 000007
【図６】
2015050865.tif 000008
【図７】
2015050865.tif 000009
【図８】
2015050865.tif 000010
【図９】
2015050865.tif 000011
【図１０】
2015050865.tif 000012
【図１１】
2015050865.tif 000013